(57)【特許請求の範囲】
【請求項１】
複数の毛状部材によって構成される付け睫毛であって、
第１の方向に向けて配列された一群の毛状部材と、前記第１の方向と角度を持つ第２の方向に向けて配列された一群の毛状部材とを含み、
前記一方の群の毛状部材が他方の群の毛状部材に重ねられ、一方の郡の毛状部材の各々が他方の郡の少なくとも１つの毛状部材と交差し、前記交差した点の少なくとも１箇所で両毛状部材が接合されて前記両群の毛状部材の各々が分離しないよう構成されていることを特徴とする付け睫毛。
【請求項２】
いずれか一方の群の毛状部材と他方の群の毛状部材との間で、毛状部材の長さ、太さ、数、材質の内の少なくともいずれか一つが異なる、請求項１に記載の付け睫毛。
【請求項３】
前記少なくともいずれか一方の群に属する毛状部材が、少なくともその一部において各毛状部材間で長さが異なる、請求項１又は請求項２に記載の付け睫毛。
【請求項４】
帯状のメッシュ状部材と、一群のストレッチ部材とから構成される付け睫毛であって、
前記一群のストレッチ部材は、前記帯状のメッシュ状部材の長手方向の一辺に配列されて外部に延伸するよう、該メッシュ状部材と一体に形成されていること、もしくは該メッシュ状部材に接合されていることを特徴とする付け睫毛。
【請求項５】
帯状のメッシュ状部材と、一群の毛状部材とから構成される付け睫毛であって、
前記一群の毛状部材は、前記帯状のメッシュ状部材の長手方向の一辺から外部に延伸するよう前記メッシュ状部材の長手方向に配列して該メッシュ状部材に接合されていることを特徴とする付け睫毛。
【請求項６】
鋸歯状に屈曲した単数もしくは複数の屈曲線状部材と、一群の毛状部材とから構成される付け睫毛であって、
前記一群の毛状部材は、前記単数もしくは複数の屈曲線状部材の長手方向に沿って配列されて外部に延伸するよう該単数もしくは複数の屈曲線状部材に重ねられ、接合されていることを特徴とする付け睫毛。
【請求項７】
前記メッシュ状部材もしくは前記屈曲線状部材が、前記一群の毛状部材よりも細い素材で形成されている、請求項５又は請求項６に記載の付け睫毛。
【発明の詳細な説明】
【技術分野】
【０００１】
本発明は、天然の睫毛（まつげ）に対してこれを増毛もしくは延長するために使用される付け睫毛に関する。
【背景技術】
【０００２】
付け睫毛（「人工睫毛」とも呼ばれる）は、天然の睫毛に追加して使用され、ボリューム感を高め、長く魅力的な睫毛を演出するものとして若い女性を中心に愛用されている。用途的には、通常の化粧用としてのほか、舞台演出用や扮装用などの特殊用途が含まれる。付け睫毛の素材としては、人毛のほか動物の毛が利用されているが、近年はポリウレタン系を中心としたプラスチック材料も広く普及してきている。なお、本明細書では人体（もしくは動物であってもよい）から生えるいわゆる使用者自身の睫毛を「天然の睫毛」、これに追加する目的で使用される睫毛を「付け睫毛」と称して両者を区別するものとする。
【０００３】
従来技術において、付け睫毛の構造として基本的に２種類のものが知られている。１つは、薄いプラスチック等の細長いフィルムからなるベース部材（「根元」とも呼ばれる）に必要量の毛（「フィラメント」とも呼ばれる）を植毛する形式のもので、この場合は植毛されたベース部材に接着剤が塗られて、この部分を使用者の瞼（まぶた）に貼り付けて使用される（例えば、特許文献１参照。）。本明細書では、これを「植毛型」の付け睫毛と呼ぶものとし、その概要を図６（ａ）に示す。図において、植毛型の付け睫毛５０は、ベース部材５１とこれに植毛された一群の毛５２とから構成されている。
【０００４】
他の１つは、天然の睫毛に対してこれに一本一本の毛を接着剤により接着する形式のもので、これにより天然の睫毛を延ばしてボリュームを増やし、長く見せる効果を生む（例えば、特許文献２参照。）。本明細書ではこれを「エクステンション型」の付け睫毛と呼ぶものとし、その概要を図６（ｂ）に示す。図において、エクステンション型の付け睫毛６１が天然の睫毛６２に接合される状態を示している。
【先行技術文献】
【特許文献】
【０００５】
【特許文献１】特開２００８−３０８８０７号公報
【特許文献２】特開平１０−１８３４１５号公報
【発明の概要】
【発明が解決しようとする課題】
【０００６】
しかしながら上述した従来の付け睫毛には、各形式それぞれに固有の問題を内在していた。まず植毛型の付け睫毛５０では、ベース部材５１に一群の毛５２を植毛してこれをベース部材５１ごと瞼に貼り付けるため、ベース部材５１が瞼の表面に表れるものとなり、これによって異物が瞼に接着されていることが認識されて目立ち易い。これを回避する方法としてベース部材５１を無色透明のプラスチックで形成することが知られているが（特許文献１）、ある程度の効果は見られても地肌とプラスチック材との間で光沢、表面粗さ等の差異が完全に解消するものとはならない。別の対処方法として、ベース部材５１にアイラインを使って色付けすることにより隠す方法が知られているが、この方法によれば化粧を濃くする傾向につながり、付け睫毛をより人工的なものとして目立たせる逆効果を生む結果ともなり得る。加えて植毛型の付け睫毛５０の利用では、ベース部材５１に塗布された接着剤部分を直接瞼に接着することから、瞼表面の肌を傷め易く、炎症やかぶれの原因となったり、アレルギ体質の人には利用そのものができなかったりするなどの弊害があり得る。
【０００７】
一方、エクステンション型の付け睫毛６１では、天然の睫毛６２に直接付け睫毛６１を接着することから、植毛型にあるようなベース部５１を瞼に接着して使用することに起因する上述した問題は解消されるものの、この方法では一本一本の付け睫毛６１をピンセット等の道具を用いて接着することから非常な手間と時間を要し、さらには自分自身で接着することすら困難な場合もある。また、天然の睫毛６２に接着することから天然の睫毛６２の密度（本数）による制限を受け、ボリュームを増やす効果が必ずしも十分には得られないという問題があった。
【０００８】
以上より、長く、ボリューム豊な睫毛を演出する付け睫毛は、特に女性にとって極めて魅力的なものではあるものの、それを利用する際の上述した各種問題、煩わしさなどが先行して折角の利用が敬遠され勝ちになっているのが実状である。付け睫毛の取り扱いがもっと簡便であり、かつ使用による違和感がなく、自然な睫毛と紛れるほどのもので睫毛の美観を高めることができれば、付け睫毛の利用、普及はより促進されるものであることは想像に難くない。従って本発明は、上述したような従来技術にある問題を解消し、取扱いが容易であり、手軽に利用することが可能な付け睫毛を提供することを目的としている。
【課題を解決するための手段】
【０００９】
本発明は、従来の植毛型付け睫毛５０のように植毛のためのベース部５１を設けることなく、また従来のエクステンション型付け睫毛６１のように一本一本の毛の接着動作を要することなく、予め接合され、あるいは組み合わされた一群の毛状部材からなる付け睫毛を天然の睫毛に被せるようにして接合することにより上記の問題を解消するもので、具体的には以下の内容を含む。
【００１０】
すなわち、本発明に係る１つの態様は、複数の毛状部材によって構成される付け睫毛であって、第１の方向に向けて配列された一群の毛状部材と、前記第１の方向と角度を持つ第２の方向に向けて配列された一群の毛状部材とを含み、前記一方の群の毛状部材が他方の群の毛状部材に重ねられ、一方の郡の毛状部材の各々が他方の郡の少なくとも１つの毛状部材と交差し、前記交差した点の少なくとも１箇所で両毛状部材が接合されて前記両群の毛状部材の各々が分離しないよう構成されていることを特徴とする付け睫毛に関する。
【００１１】
前記毛状部材の内、いずれか一方の群の毛状部材の長さ、太さは他方の群の毛状部材の長さ、太さと異なっていてもよい。また、いずれか一方の群の毛状部材の数は他方の群の毛状部材の数と異なっていてもよい。さらに、いずれか一方の群の毛状部材の材質は他方の群の毛状部材の材質と異なっていてもよい。あるいは、少なくともいずれか一方の群に属する毛状部材は、少なくともその一部において各毛状部材間で長さが異なるものであってもよい。
【００１２】
本発明に係る他の態様は、帯状のメッシュ状部材と、一群のストレッチ部材とから構成される付け睫毛であって、前記一群のストレッチ部材は、前記帯状のメッシュ状部材の長手方向の一辺に配列されて外部に延伸するよう、該メッシュ状部材と一体に形成されていること、もしくは該メッシュ状部材に接合されていることを特徴とする付け睫毛に関する。
【００１３】
本発明に係るさらに他の態様は、帯状のメッシュ状部材と、一群の毛状部材とから構成される付け睫毛であって、前記一群の毛状部材は、前記帯状のメッシュ状部材の長手方向の一辺から外部に延伸するよう前記メッシュ状部材の長手方向に配列して重ねられ、該メッシュ状部材に接合されていることを特徴とする付け睫毛に関する。
【００１４】
前記メッシュ状部材は、鋸歯状に屈曲した単数もしくは複数の屈曲線状部材に置き換えることができる。また、前記メッシュ状部材もしくは前記屈曲線状部材は、前記一群の毛状部材よりも細い素材で形成されてもよい。この場合には当該メッシュ状部材もしくは屈曲線状部材が目立ち難くなり、毛状部材の存在をより自然に演出することができるようになる。
【発明の効果】
【００１５】
本発明に係る付け睫毛の実施により、手軽に付け睫毛を利用することが可能になり、また装着しても違和感がなく自然であり、肌への障害等が回避できる付け睫毛の提供が可能となる。これにより、従来では興味はありながらも煩わしさ等のために敬遠していた人にも受け入れ易いものとなり、付け睫毛の普及に貢献する効果を奏するものとなる。
【図面の簡単な説明】
【００１６】
【図１】本発明の実施の形態に係る付け睫毛を示す平面図、並びに使用状態を示す説明図である。
【図２】図１に示す付け睫毛の製造方法の一例を示す説明図である。
【図３】本発明の他の実施の形態に係る付け睫毛を示す平面図である。
【図４】図３に示す付け睫毛の製造方法の一例を示す説明図である。
【図５】図３に示す実施の形態の付け睫毛の他の態様を示す平面図である。
【図６】従来技術に係る付け睫毛を示す説明図である。
【発明を実施するための形態】
【００１７】
本発明の第１の実施の形態にかかる付け睫毛について、図面を参照して説明する。なお、一般には一本の毛であってもそれが上下瞼から生えるものである限り「睫毛」と称されているが、以下の説明において一本の睫毛は単に「毛」と呼ぶものとし、当該毛の複数の集合体である「睫毛」とは区別するものとする。図１（ａ）は、本実施の形態にかかる付け睫毛1０を示している。
【００１８】
図１（ａ）において、付け睫毛１０は、第１の方向に略平行に配列されて延びる一群の第１の毛状部材１１と、前記第１の方向に対して角度を有する第２の方向に略平行に配列されて延びる一群の第２の毛状部材１２とから構成されている。第１の毛状部材１１と第２の毛状部材１２とは、付け睫毛に適した所定の太さ、長さをそれぞれ有しており、両者は重ねて配置されている。第１の方向と第２の方向との間に角度が設けられていることから、第１の毛状部材１１と第２の毛状部材１２とは相互に交差して配置されるものとなる。この交差角度は任意であるが、追って付け睫毛として使用されることから、極端に深い角度は回避することが好ましく、適切には約２０度から約６０度ほどである。この交差する点は、各毛状部材１１、１２に対して少なくとも１箇所、好ましくは２箇所以上存在している。
【００１９】
そして、毛状部材１１と毛状部材１２の各交点の少なくとも一部は相互に接合されている。ここでいう「接合」には、接着、融着、溶着、圧着（超音波接合含む）など、２つの毛状部材を相互に固定することができるあらゆる手段が含まれるものとする。接着の場合には、シアノアクリレート系接着剤の使用が好適であるが、これに限定はされない。この接合により、第１の毛状部材１１の群と第２の毛状部材１２の群とが分離することなく一体に結合されることから、この内のいずれかを掴むことにより付け睫毛１０全体を形状が崩れることなく取り扱うことができるようになる。この目的からは、各毛状部材１１、１２の全ての交点が接合される必要はなく、少なくとも１箇所、好ましくは２箇所以上が接合されていればよい。
【００２０】
本明細書でいう「毛状部材」には、付け睫毛としての使用が可能な天然もしくは人工の毛状となったあらゆる部材が含まれる。この中には人毛、獣毛（例えば、狸、狐、ミンク、イタチ、ヤギ、羊、ウサギ、犬、猫、リス、馬、牛、猿などの毛）や、プラスチック繊維（ポリエチレン、ポリプロピレン、ポリブチレンテレフタレート、ポリエステル、ナイロン、塩化ビニールなどの繊維）、炭素繊維等が含まれるが、これらには限定されない。
【００２１】
図１（ｂ）は、本実施の形態にかかる他の態様の付け睫毛１０ａを示している。ここでは、第１の毛状部材１１ａ、第２の毛状部材１２ａの内、いずれか一方の毛状部材（図示の例では第１の毛状部材１１ａ）を他方の毛状部材（同、第２の毛状部材１２ａ）に対してその長さを長くしている。このように構成することで、付け睫毛２の延びる方向を一方にのみ強調することができ、なおかつ双方の毛状部材１１ａ、１２ａが少なくとも１箇所の交点で接合されていることから個々の毛状部材１１ａ、１２ａが分離することなく、付け睫毛１０ａ全体を一つのものとして取り扱うことができる。
【００２２】
このように、第１の毛状部材１１ａと第２の毛状部材とは必ずしも同じものとする必要はなく、図１（ｂ）で示す長さの相違はその一例でしかない。この他にも、第１、第２の群のそれぞれの毛状部材の材料を上述した各種材質から任意のものを選択した組み合わせとすることが可能である。また、毛状部材の太さも相互に異なったものとすることができる。図１（ｂ）に示す例において、長い方の第１の毛状部材１１は通常の付け睫毛に適した太さとし、短い方の第２の毛状部材１２ａを細くして目立ち難くすることもできる。この場合、ポリエステル、ナイロン、炭素繊維などの極細繊維を使用すれば、第２の毛状部材１２ａは「睫毛」としての機能よりも第１の毛状部材１１ａを結合して保持する保持部材として機能させることができ、第１の毛状部材１１ａの存在のみを際立たせるものとなる。
【００２３】
他の態様としては、第１の毛状部材１１ａと、第２の毛状部材１２ａと間でその数を異なるものとし、いずれか一方の向きに延びる毛状部分のボリュームを増して強調することもできる。また、一つの毛状部材の群内においても、配列を必ずしも均等間隔に分布させることなく、まばら状、縞模様状などにして付け睫毛にアクセントを付けることも可能である。
【００２４】
なお、図示の例では第１の毛状部材１１ａ同士、あるいは第２の毛状部材１２ａ同士の間ではほぼ同一の長さとしているが、同じ毛状部材１１ａの群、又は１２ａの群の間であってもその長さを変化させることは任意である。例えば毛状部材１１ａの内、図１（ｂ）の右側から左側に向けて長さを順次長くすることもできる。延びる毛状部材の方向及び長さの変化は、付け睫毛２を表裏逆にすることで逆にすることができる。
【００２５】
図１（ｃ）は、本実施の形態にかかる付け睫毛の使用方法を示している。図の向かって左側の目において、本実施の形態にかかる付け睫毛１０ａ（図は付け睫毛１０ａを示しているが、付け睫毛１０であっても同様である）は、従来技術にある植毛型、エクステンション型のいずれとも相違し、付け睫毛１０ａ全体を天然の睫毛１の上に被せるようにして配置し、予め付け睫毛１０ａの側（天然の睫毛１の側であってもよい）に塗られた接着剤を利用して付け睫毛１０ａを天然の睫毛１の上に接合している。図示の例では瞼の幅方向に延びる長さ（幅）の一部にのみ延びる長さの付け睫毛1０ａとしているが、この長さは好みにより瞼の幅全長まで延ばしてもよい。
【００２６】
本実施の形態によれば、従来の植毛型付け睫毛５０にあるようなベース部材５１を使用することがないため、ベース部材５１を瞼に接着することに起因する各種問題は全て解消される。また、従来のエクステンション型付け睫毛６１のように一本一本を天然の毛６２に装着する煩わしさが無くなり、付け睫毛１０ａを全体として一回の接着動作にて接合することができるようになり、手間をかけることなく誰しも短時間で容易に装着できるようになる。また、天然の毛の密度に制約されることがないため、好みのレベルの睫毛ボリュームアップを図ることができるようになる。付け睫毛１０ａの取り外しも、溶剤により接合部分の接着剤を溶解することで容易に行うことができる。この際、付け睫毛１０ａの毛状部材１１ａ、１２ａの接合自体が分離しないよう、毛状部材１１ａ、１２ａを接着剤にて接合する場合には、その接着剤は付け睫毛１０ａを天然の睫毛１に接合する際の接着剤とは区別し、後者の溶剤によって前者の接着剤が溶解しないものとする必要がある。
【００２７】
図２は、本実施の形態にかかる付け睫毛１０の製造方法の一例を示している。まず、図２（ａ）において、細長の粘着テープ２１が準備され、その上に複数の毛状部材２２を、粘着テープ２１の長手方向に直交する方向（図の上下方向）に対して角度θを設けて略平行に配置する。この際の傾斜角度θは、約１０度から約３０度の間にすることが好ましい。毛状部材２２の間隔と本数とは、追って形成される付け睫毛１０の好みのボリュームに応じて選択することができる。長さに関しても同様に、最終製品となる付け睫毛１０の好みの長さに応じて設定することができる。毛状部材２２の素材としては、上述した人毛、獣毛、プラスチックほか、付け睫毛としての使用に適した材料から選択される。
【００２８】
次に図２（ｂ）において、粘着テープ２１がその長手方向の中心線（図２（ａ）に示す一点鎖線Ａ−Ａ）を中心に折り曲げられ、粘着テープ２１の両側からはみ出て延びる毛状部材２２が相互に２θの角度をもって重なりあう。重なり合った交点は、予め塗布された接着剤により、あるいは融着、溶着、圧着などの手段を利用して接合される。この際、毛状部材２２同士の交点の内、各１本の毛状部材２２に対して少なくとも１箇所、好ましくは２箇所の交点にて他の毛状部材２２と接合されるものとする。この際、選択的に接合される交点は、後に付け睫毛１０になった際に瞼に近接する側に選択されることが望ましい。交差して相互に接合された毛状部材２２は、接合の後、図２（ｂ）の一点鎖線Ｂ−Ｂに沿って切断され、付け睫毛の原型1０ｘが完成する。切断の際、接合箇所のない毛状部材２２、あるいは交点があっても接合力が必ずしも十分ではない特に幅方向両端にある毛状部材２２は、手でしごくことにより、あるいはハサミで切断するなどにより容易に排除することができる。いうまでもなく、重なった毛状部材２２は、図１（ａ）に示す第１の毛状部材１１、第２の毛状部材１２を形成するものとなる。
【００２９】
上記図２（ｂ）において形成された付け睫毛の原型１０ｘは、次に図２（ｃ）においてカール付けされる。図面の垂直な方向に向けて長手方向が延びる付け睫毛の原型１０ｘは、カール付け用の型２４、２６の中に配置され、型２４、２６を用いて熱プレスされる。カールの形状は任意に選択することができ、またカール付けそのものもオプションである。図示の例では、左右の瞼用の一対の付け睫毛の原型１０ｘを同時に成形する例を示しており、カール付けされた後に型２４、２６から取り出された付け睫毛の原型１０ｘは、図の中心線Ｃで２つに分断されて左右それぞれの付け睫毛１０に分離される。各付け睫毛１０は、その後、図１（ａ）に示すような瞼の形状に沿うような湾曲したくせ付けが施され、最終形状の付け睫毛１０が完成する。
【００３０】
図２（ａ）〜（ｃ）に示す付け睫毛の製造方法は単なる一例であって、本実施の形態に係る付け睫毛１０、１０ａの製法がこれに限定されるものではない。しかしながらかかる製法によれば、粘着テープ２１をその長手方向に連続的もしくは断続的に搬送し、その間に順次毛状部材２２を配列し、接合し、折り曲げることで、連続した大量生産に適した工法となる。図１（ｂ）に示す一方へ延びる毛状部材の長さを他方に延びる毛状部材の長さよりも長くする場合には、図２（ａ）において粘着テープ２１の上側と下側にはみ出て延びる毛状部材２２の長さに差を設けることで容易に得ることができる。また、毛状部材２２の並び方向において、毛状部材の配置の密度（単位長さ当たりの本数）や長さを段階的に変化させることも任意に行うことができる。
【００３１】
次に、本発明の第２の実施の形態に係る付け睫毛３０について、図面を参照して説明する。本実施の形態に係る付け睫毛３０は、先の実施の形態にあるような「接合」の工程を要せず、予めメッシュ状（網目状）に形成されたプラスチック材料を利用することができる。図３において、本実施の形態に係る付け睫毛３０は、図の左右方向に帯状に伸びるメッシュ状部材３１と、メッシュ状部材３１の幅方向の一辺から延伸するストレッチ部材３２とから構成されている。ここでいうメッシュ状部材３１は、網目状に構成された線状素材の各交差した点が接合され、または一体に形成された部材の総称である。この際、各交点は、例えば熱溶着などの接合のほか、型成形、空洞部の打ち抜き、あるいは一定間隔で素材の交互にずれた位置にスリットを入れてスリットと直交する方向に当該素材を引っ張るなどにより一体成形する各種の加工方法が考えられるが、ここではその工法は問わない。ストレッチ部材３２は、ここではメッシュ状部材３１の網目の交点尖端から２本延びるように形成されている。
【００３２】
図４は、図３に示す付け睫毛３０の製法の一例を示している。図４（ａ）において、ポリエチレン、ポリプロピレンなどの展延性のある適切なプラスチック材料で形成されたメッシュ素材３１ｘを準備し、少なくともメッシュの１ピッチ分の間隔Ｐを設けてその両側に平行に配置された押し型３４、３６でメッシュ素材３１ｘを押さえる。押し型３４、３６はメッシュ素材３１ｘを挟むようにして図面に垂直な方向に一対ずつが対向して配置されているが、図面ではその一方のみを表示している。次に図４（ｂ）において、メッシュ素材３１ｘを押さえたまま太矢印で示すように両押し型３４、３６を相互に離れる方向に移動させて両押し型３４、３６の中間にあったメッシュ素材３１ｘを引っ張る。これにより、メッシュ素材３１ｘは図示のように少なくとも１ピッチ分の部分だけが引き延ばされる。その後、引き伸ばされたメッシュ素材３１ｘを、図の破線Ｄ−Ｄ、Ｅ−Ｅで切断することによって、図３に示す付け睫毛３０が形成される。その後のくせ付けとカール付けとは、先の実施の形態と同様である。
【００３３】
本実施の形態に係る付け睫毛３０によれば、ストレッチ部材３２は先の実施の形態にあるような接着ではなく、メッシュ状部材３１から一体となって延びている。このため、両者の結合が強固であり、例えば接着剤による接合部分のはずれに伴うストレッチ部材３２の離脱などが生じにくいという特徴がある。また、使用時にはストレッチ部材３２はメッシュ状部材３１と共に一体となって天然の睫毛に接合されるため、一本一本が独立している先の実施の形態に係る付け睫毛１０と比較して付け睫毛３０全体の接合も強固であり、安定した接合が得られる。さらには付け睫毛３０自身での接着剤の使用は不要となるため、天然の睫毛から付け睫毛３０を取り外す際の溶剤の使用に制限を受けることがなくなる。ストレッチ部材３２はメッシュ状部材３１を引っ張って伸ばすことからその線径がやや細くなる傾向にあるが、この対応としては、予めメッシュ状の素材をやや太めのものを使用すること、あるいはストレッチ部材３２にマスカラを利用してこれを太目に見せることなどが考え得る。
【００３４】
なお、上述の例によれば、ストレッチ部材３２はメッシュ状部材３１と一体に形成されるため、両者の材質は同一となる。このように一体に形成することでもよいが、ストレッチ部材３２は接着等を利用してメッシュ状部材３１に接合することであってもよい。この場合にはストレッチ部材３２は必ずしもメッシュ状部材３１と同一の材質にする必要はなくなり、先の実施の形態に示す毛状部材１１、１２と同様なものが利用可能となる。このような形態の例を、以下の第３の実施の形態に含めて説明する。
【００３５】
本発明の第３の実施の形態にかかる付け睫毛４０は、概要としては第１、第２の実施の形態に係る付け睫毛１０、３０のそれぞれ特徴を組合せたものとなっている。まず図５（ａ）は、本実施の形態にかかる付け睫毛４０の一つの態様を示しており、付け睫毛４０は、図の左右方向に帯状に延びるメッシュ状部材４１と、メッシュ状部材４１の長手方向の一辺から外部に延びるよう接合された毛状部材４２とから構成されている。メッシュ状部材４１は、第２の実施の形態に係る付け睫毛３０と同様の素材が使用され得る。しかしながら先の付け睫毛３０と異なり、毛状部材４２は独立した他の素材により構成されており、毛状部材４２はメッシュ状部材４１の各交差する点に接合されている（ただし、これは例示であって接合箇所がこれに限定されるものではない）。接合方法は、接着、融着のほか、第１の実施の形態で示した各種接合方法が適用可能である。図示の例では各毛状部材４２はメッシュ状部材４１の各交差する点に接合されているが、この代わりにメッシュ状部材４１の交差する点の尖端のみ、あるいは同尖端のみに２本ずつ（この際の構成は図３に示すものと同様となる）、もしくはそれ以上の数を接合することでもよい。なお、第２の実施の形態に示すストレッチ部材３２は毛状部材４２の範疇に含まれ得るものであるが、ストレッチ部材３２では材質がメッシュ状部材３１と同一のものに限定される点において相違する。
【００３６】
以上のような付け睫毛４０の構造は、自動化により大量生産する際に適する。すなわち、長尺帯状のメッシュ状部材４１を長手方向に連続的もしくは間欠的に送り、その間に単数もしくは複数のピンセット状アクチュエータなどを用いて先端に接着剤の塗布された毛状部材４２をメッシュ状部材４１の所定接合箇所に連続して接合することにより、付け睫毛４０を高速で大量生産することができる。連続してつながって搬出されるメッシュ状部材４１はその後適切な長さで切断され、必要なカール付け、くせ付けの工程を経て製品とされ得る。また、帯状のメッシュ状部材４１の幅を倍にし、幅方向両側に毛状部材４２を連続して接合した後、メッシュ状部材４１を幅方向のセンターラインで分離することで生産効率を倍増させることもできる。
【００３７】
図５（ｂ）は、本実施の形態に係る他の態様の付け睫毛４０ａを示しており、ここでは毛状部材４２ａはメッシュ状部材４１ａの交差する点とは関係なく、帯状に延びるメッシュ状部材４１ａを被せるようにその長手方向に並んで重ねられ、メッシュ状部材４１ａに接合されている。これにより、毛状部材４２ａの接合がより安定したものとなり、また、毛状部材４２ａ相互間の密度をメッシュ状部材４１の交差する点に拘束されることなく自由に選択することが可能となる。これによって、例えば自動化する場合の接合位置の位置精度が図５（ａ）示す態様に比較して大幅に緩和されるため、制御が容易となり、生産性を高めることができる。
【００３８】
本実施の形態に係る付け睫毛４０、４０ａを第２の実施の形態にかかる付け睫毛３０と比較した場合、メッシュ状部材４１、４１ａと毛状部材４２、４２ａとが独立しているため両者の接合が必要となる反面、両者が独立していることから例えばメッシュ状部材４１をプラスチック材、毛状部材４２を獣毛にするなど、それぞれに最適な材料を選択することが可能となる。また、メッシュ状部材４１からストレッチ部材３２を引き伸ばして形成する必要がないため、メッシュ状部材４１も必ずしもプラスチックでなくても、人毛、獣毛などを網状に編んだものとすることができる。さらに、第１の実施の形態で説明したものと同様に、メッシュ状部材４１を極細繊維などの径の細い素材により形成し、これに睫毛としての通常の太さを有する毛状部材４２を接合してもよい。この際にはメッシュ状部材４１は毛状部材４２を目立たずに保持する保持部材として機能するものとなり、毛状部材４２をあたかも天然の睫毛のように演出することができる。
【００３９】
図５（ｃ）は、本実施の形態に係るさらに他の態様の付け睫毛４０ｂを示すもので、ここでは先のメッシュ状部材４１ａに代わって鋸歯状の屈曲形状を有する屈曲線状部材４１ｂが使用されている。すなわち、毛状部材４２ｂがばらばらに分離することを防ぐ目的からは、これを接合する部分は必ずしもメッシュ状である必要はなく、付け睫毛の部材として使用することに違和感がなく、かつ毛状部材４２ｂを接合して保持することができる部材であれば良い。この場合、屈曲線状部材４１ｂは、必ずしもプラスチックとする必要はなく、鋸歯状にくせ付けした人毛、獣毛、あるいは炭素繊維などとすることでもよい。
【００４０】
図５（ｃ）に示す例では、鋸歯状の屈曲線状部材４１ｂを１本のみとしているが、これを２本もしくはそれ以上の数としてこれらを長手方向に略平行に配置してもよい。屈曲線状部材４１ｂを２本、あるいはそれ以上使用することにより、毛状部材４２ｂの接合箇所が増えて接合が安定することほか、天然の睫毛に装着する際に２本あるいはそれ以上の屈曲線状部材４１ｂの相互関係を意図的にずらすことにより、毛状部材４２ｂの延びる方向を調整することが可能となる。屈曲線状部材４１ｂを極細繊維などの細い素材で形成して毛状部材４２ｂのみを目立たせるなど、その他の特徴は上述した他の態様と同様である。
【００４１】
なお、図５（ａ）〜（ｃ）に示す毛状部材４２，４２ａ，４２ｂは相互に略平行に延伸するよう配置されて描かれているが、図１（ａ）に示すように２つの方向に向けて相互に交差するよう配列することも任意であり、その際、図１（ｂ）に示すように一方の方向と他方の方向とに延びる毛状部材間で長さを変えること、あるいは太さ、材質、数を変えることも任意である。            
【００４２】
以上、本発明に係る付け睫毛の各実施の形態について説明してきたが、本発明に係る付け睫毛によれば、ベース部分に毛状部材を植毛することなく付け睫毛を一体のものとして扱うことができ、また瞼に接着、もしくは一本一本の毛に接着する必要がなく、天然の睫毛の上に全体を被せて接合することができ、極めて取扱いが容易となるほか、使用による外観状の違和感を生じにくい。さらに注目すべき本発明の大きな利点として、複数の天然の睫毛の上に被せるように接合するという本発明特有の発想により、複数の毛状部材だけでアッセンブリされた付け睫毛、あるいはメッシュ状部材と毛状部材や屈曲線状部材との組合せによりアッセンブリされた付け睫毛の形態で製造可能となることから、上述したようにこれまで見られなかった大量生産が可能となることが挙げられる。このような大量生産により、大幅なコストダウンを可能にし、これによっても付け睫毛を広く普及される効果を見込むことができる。
【００４３】
なお、以上の説明では上瞼を対象に説明しているが、下瞼の睫毛に対しても例えば下から本発明に係る付け睫毛を被せて接着するなどの利用も可能である。さらに、本発明に係る付け睫毛では瞼に直接接着する必要がなく、上述のようにこれによって各種の利点が得られるが、但し瞼に直接接着することを否定するものではない。例えば実施の形態２、３に示すようなメッシュ状部材が使用される場合において、該メッシュ状部材の一辺（毛状部材が延伸する側とは反対側の辺）を直接瞼に接着して使用することも可能である。
【産業上の利用可能性】
【００４４】
本発明は、付け睫毛の製造、販売の産業分野、化粧・美容サービスの産業分野、舞台・演芸の産業分野等において広く利用することができる。
【符号の説明】
【００４５】
１．天然の睫毛
１０、１０ａ、３０、４０、４０ａ、４０ｂ、４０ｃ．付け睫毛、
１１、１１ａ．第１の毛状部材、
１２、１２ａ．第２の毛状部材、
２１．粘着テープ、
２２．毛状部材、
２４、２６．型、
３１、４１、４１ａ．メッシュ状部材、
３２．ストレッチ部材、
４２、４２ａ、４２ｂ．毛状部材、
３４、３６．押し型
４１ｂ．屈曲線状部材
【図１】
0005527724.tif 000002
【図２】
0005527724.tif 000003
【図３】
0005527724.tif 000004
【図４】
0005527724.tif 000005
【図５】
0005527724.tif 000006
【図６】
0005527724.tif 000007